【手続補正書】
【提出日】平成22年8月19日(2010.8.19)
【手続補正１】
【補正対象書類名】特許請求の範囲
【補正対象項目名】全文
【補正方法】変更
【補正の内容】
【特許請求の範囲】
【請求項１】
送信アンテナのアレイを有する送信器を備え、かつ前記送信器と通信する少なくとも1つの受信器を備える、通信ネットワークのための制御方法であって、
A）前記受信器において、
前記受信器の受信アンテナについて、前記送信器から前記受信器に送信される信号を使用して、チャネル測定を実行するステップと、
前記チャネル測定の出力から、前記送信器における送信アンテナのアレイのそれぞれについて、チャネル係数を決定するステップと、
前記チャネル係数に可逆変換を適用する、よって、変換領域におけるそれぞれのチャネル成分の個々の加重を示すチャネル成分係数を確定するステップと、
前記変換領域における1つまたは複数のチャネル成分を選択するステップと、
次の1）〜3）のいずれかを示す制御信号を前記送信器に通信するステップと、を含み、
1）前記チャネル係数によって形成されるベクトルの線形分解から導出される1つ若しくは複数の好ましいチャネル成分、および前記1つ若しくは複数のチャネル成分の大きさ、
2）1つの好ましいチャネル成分、および信号対干渉雑音比SINRを示す量の推定値、または、
3）1つの好ましいチャネル成分、
B)前記送信器において、
前記制御信号を受信するステップと、
前記受信器から受信される情報を使用して、前記変換領域にビームパターンを構成するステップと、
を含む、
制御方法。
【請求項２】
前記可逆変換が線形および直交である、請求項1に記載の方法。
【請求項３】
チャネル測定の実行が、
前記送信器において送信アンテナのアレイのそれぞれから送信されるパイロット情報の測定を含む、
請求項1または請求項2に記載の方法。
【請求項４】
前記チャネル係数への可逆変換の適用が、
前記チャネル係数への逆離散フーリエ変換の適用を含む、
請求項2に記載の方法。
【請求項５】
前記受信器において、
前記チャネル係数に前記線形および可逆直交変換を適用した後に、前記変換領域の前記チャネル成分係数の不確定度を決定するステップをさらに含む、
請求項1または請求項2に記載の方法。
【請求項６】
前記受信器において、
前記変換領域の前記チャネル成分係数にフィルターを適用するステップを含む、
請求項5に記載の方法。
【請求項７】
前記送信器への通信が、前記変換領域における不確定度の通信をさらに含む、
請求項5に記載の方法。
【請求項８】
前記変換領域における1つまたは複数のチャネル成分の選択が、
チャネル成分係数の集合における大きさの絶対最大値または極大のいずれかを成すチャネル成分係数を有するチャネル成分を確定および選択することを含む、
請求項1または請求項2に記載の方法。
【請求項９】
成分係数の前記集合に大きさの極大を2つ以上確定すること、
前記極大それぞれの振幅を測定すること、
前記極大を成す前記チャネル成分間の位相差を測定すること、
をさらに含む、請求項1または請求項2に記載の方法。
【請求項１０】
1つ若しくは複数の好ましいチャネル成分、または1つ若しくは複数のチャネル成分係数の大きさを、量子化された形式で前記送信器に通信することが、無線リンクを介した通信を含む、
請求項1または請求項2に記載の方法。
【請求項１１】
前記受信器が受信アンテナのアレイを備え、
前記チャネル測定が、受信アンテナの前記アレイのそれぞれについて実行される、
請求項1または請求項2に記載の方法。
【請求項１２】
前記受信器が無線通信のためのモバイル端末装置であり、
前記送信器が基地局である、
請求項1または請求項2に記載の方法。
【請求項１３】
前記送信器に通信する前記ステップが量子化された形式であり、そしてチャネル品質指標ビットの集合の通信を含む、
請求項1または請求項2に記載の方法。
【請求項１４】
チャネル品質指標ビットの前記集合の少なくとも一部が、SINR推定値をエンコードする、
請求項13に記載の方法。
【請求項１５】
前記SINR推定値が、おおよそ下限である、
請求項14に記載の方法。
【請求項１６】
前記おおよそ下限のSINR推定値が比率で与えられ、
前記比率は、
分子が通信される前記チャネル成分に対応する振幅を含み、
前記分母が前記チャネルの振幅応答から導出される複数のポイントの平均値を含む、
請求項15に記載の方法。
【請求項１７】
前記比率が実質的に
【数１４】
2010502080.tif 000001
から導出され、ただし、
2010502080.tif 000002
はチャネル測定のM次元のベクトルであり、
Mは前記送信器における送信アンテナの数であり、
Pは、送信電力と受信器における熱雑音電力との比率であり、
2010502080.tif 000003
は、
2010502080.tif 000004
のL点IDFTを計算し、そして絶対値をとることによって取得されるベクトルである、
請求項16に記載の方法。
【請求項１８】
前記SINR推定値が、あらかじめ決定された仮定の集合で計算される、
請求項14に記載の方法。
【請求項１９】
仮定の前記集合には、
前記送信器によって構成されるビームパターンが、ゼロ強制のビーム形成を使用して形成されることを含む、
請求項18に記載の方法。
【請求項２０】
前記送信器における前記変換領域でのビームパターン構成が、
前記1つまたは複数の好ましいチャネル成分の少なくとも1つでの送信信号インパルスの構成を含む、
請求項1または請求項2に記載の方法。
【請求項２１】
前記変換領域でのビームパターン構成が、
前記チャネル成分係数の大きさに応じて決定される振幅を有する前記送信信号インパルスの構成を含む、
請求項20に記載の方法。
【請求項２２】
前記受信器において、前記制御信号の受信後に、前記チャネル成分係数の前記変換領域における不確定度を決定するステップをさらに含む、
請求項1または請求項2に記載の方法。
【請求項２３】
前記受信器での前記チャネル成分係数の前記変換領域における不確定度の決定が、異なる時間または異なる周波数において通信される前記好ましいチャネル成分の変動範囲の評価を含む、
請求項22に記載の方法。
【請求項２４】
前記変換領域における前記ビームパターンへのフィルターの適用を含む、
請求項1または請求項2に記載の方法。
【請求項２５】
前記変換領域で構成された前記ビームパターンに依存して前記送信器から前記受信器に送信するためのビーム形成器の設計を含む、
請求項1または請求項2に記載の方法。
【請求項２６】
ビーム形成器の設計が、前記チャネル成分係数への前記線形および可逆直交変換の逆の適用を含む、
請求項25に記載の方法。
【請求項２７】
ビーム形成器の設計が、
少なくとも1つの第2受信器から受信されるチャネル成分係数にも、さらに依存して実行される、
請求項25に記載の方法。
【請求項２８】
送信アンテナのアレイを有する送信器を備える通信ネットワークのための受信器モジュールであって、
受信器の受信アンテナに接続され、前記受信アンテナについてのチャネル品質を示す物理量の測定を受信信号に基づいて実行し、かつ前記測定結果を示す出力信号を前記送信器における送信アンテナの前記アレイのそれぞれに対するチャネル係数の形式で提供するチャネル測定ユニットと、
前記チャネル測定ユニットと接続され、前記チャネル係数に可逆変換を適用し、かつ変換領域におけるそれぞれのチャネル成分の個々の加重を示すチャネル成分係数をその出力において提供する変換ユニットと、
前記変換ユニットと接続され、前記変換領域における1つまたは複数のチャネル成分を前記変換ユニットから受信される前記チャネル成分係数に基づいて選択する選択ユニットと、
次の1）〜3）を示す制御信号を生成し、
1）1つもしくは複数の好ましいチャネル成分、または1つもしくは複数のチャネル成分係数の大きさ、またはその両方、
2）1つの好ましいチャネル成分、および信号対干渉雑音比SINRを示す量の推定値、または、
3）1つの好ましいチャネル成分、
そしてその出力において提供する制御ユニットと、
を含む受信器モジュール。
【請求項２９】
前記可逆変換が線形および直交である、
請求項28に記載の受信器モジュール。
【請求項３０】
前記チャネル測定ユニットが、
前記送信器において送信アンテナの前記アレイのそれぞれから送信されるパイロット情報を測定することによってチャネル測定を実行する、
請求項28または請求項29に記載の受信器モジュール。
【請求項３１】
前記変換ユニットが、
前記チャネル係数に逆離散フーリエ変換を適用する、
請求項30に記載の受信器モジュール。
【請求項３２】
前記チャネル測定ユニットが、
前記変換領域における前記チャネル成分係数の不確定度を決定する、
請求項28または請求項29に記載の受信器モジュール。
【請求項３３】
前記チャネル測定ユニットが、
前記変換領域における前記チャネル成分係数にフィルターを適用する、
請求項28または請求項29に記載の受信器モジュール。
【請求項３４】
前記制御ユニットが、
前記変換領域におけるチャネル成分係数の不確定度を成す不確定性指標を生成し、そしてその出力において提供する、
請求項28または請求項29に記載の受信器モジュール。
【請求項３５】
選択ユニットが、
前記変換ユニットから受信される前記成分係数における大きさの絶対最大値または極大のいずれかを成すチャネル成分係数を有するチャネル成分を確定および選択する、
請求項28または請求項29に記載の受信器モジュール。
【請求項３６】
前記選択ユニットが、
前記変換ユニットから受信されるチャネル成分係数の前記集合に、大きさの極大が、2つ以上存在するかどうかを確定し、
前記変換ユニットから受信されるチャネル成分係数の前記集合における極大それぞれの振幅を測定し、
前記極大を成す前記チャネル成分間の位相差を測定する、
請求項28または請求項29に記載の受信器モジュール。
【請求項３７】
前記制御ユニットが、
1つ若しくは複数の好ましいチャネル成分、または1つ若しくは複数のチャネル成分係数の大きさを、無線リンクを介して、量子化された形式で前記送信器に通信する、
請求項28または請求項29に記載の受信器モジュール。
【請求項３８】
前記チャネル測定ユニットが、
受信アンテナのアレイに接続され、かつ受信アンテナの前記アレイのそれぞれのアンテナについて前記チャネル測定を実行する、
請求項28または請求項29に記載の受信器モジュール。
【請求項３９】
前記制御ユニットが、
前記制御信号形式を、チャネル品質指標ビットの集合の形式で前記送信器に通信する、
請求項28または請求項29に記載の受信器モジュール。
【請求項４０】
少なくとも1つの受信器に送信するための送信アンテナのアレイを有する送信器を備える通信ネットワークにおける受信器のための制御信号伝達方法であって、
前記受信器の受信アンテナについてチャネル測定を実行するステップと、
前記チャネル測定の出力から、前記送信器における送信アンテナのアレイのそれぞれについて、チャネル係数を決定するステップと、
前記チャネル係数に可逆変換を適用する、よって変換領域におけるそれぞれのチャネル成分の個々の加重を示すチャネル成分係数を確定するステップと、
前記変換領域における1つまたは複数のチャネル成分を選択するステップと、
次の1）〜3）のいずれかを示す制御信号を、
1）前記チャネル係数によって形成されるベクトルの線形分解から導出される1つまたは複数の好ましいチャネル成分、および前記1つまたは複数のチャネル成分の大きさ、
2）1つの好ましいチャネル成分、および信号対干渉雑音比SINRを示す量の推定値、または、
3）1つの好ましいチャネル成分、
前記送信器に通信するステップと、
を含む制御信号伝達方法。
【請求項４１】
前記可逆変換が線形および直交である、
請求項40に記載の制御信号伝達方法。
【請求項４２】
少なくとも1つの受信器に送信するための送信アンテナのアレイを有する送信器を備える通信ネットワークにおける受信器のための制御信号伝達方法を、受信器が実行する実行可能プログラムコードを含むコンピュータープログラム製品であって、
前記制御信号伝達方法が、
前記受信器の受信アンテナについてチャネル測定を実行するステップと、
前記チャネル測定の出力から、前記送信器における送信アンテナのアレイのそれぞれについて、チャネル係数を決定するステップと、
前記チャネル係数に可逆変換を適用する、よって変換領域におけるそれぞれのチャネル成分の個々の加重を示すチャネル成分係数を確定するステップと、
前記変換領域における1つまたは複数のチャネル成分を選択するステップと、
1つもしくは複数の好ましいチャネル成分、または1つもしくは複数のチャネル成分係数の大きさ、またはその両方を示す制御信号を、量子化された形式で前記送信器に通信するステップと、
を含むコンピュータープログラム製品。
【請求項４３】
前記可逆変換が線形および直交である、
請求項42に記載のコンピュータープログラム製品。
【請求項４４】
送信アンテナのアレイを有する送信器を備える通信ネットワークのための受信器であって、
前記送信器の送信アンテナの前記アレイによって送信される信号を受信するように構成される、少なくとも1つの受信アンテナと、
請求項28または請求項29による受信器モジュールと、
を含む受信器。
【請求項４５】
受信アンテナのアレイを含む、
請求項44に記載の受信器。
【請求項４６】
無線通信のためのモバイル端末装置を形成する、
請求項45に記載の受信器。
【請求項４７】
少なくとも1つの受信器に送信するための送信アンテナのアレイを有する送信器のための送信器制御モジュールであって、
次の1)〜3）のいずれかを示す制御信号を外部装置から受信し、
1）1つまたは複数の好ましいチャネル成分、および前記1つまたは複数のチャネル成分の大きさ、
2）1つの好ましいチャネル成分、および信号対干渉雑音比SINRを示す量の推定値、または、
3）1つの好ましいチャネル成分、
かつ
前記外部装置から受信される前記情報を使用して、前記変換領域におけるビームパターン制御データを構成し、その出力において提供する、
送信器制御モジュール。
【請求項４８】
前記1つまたは複数の好ましいチャネル成分の少なくとも1つにおいて、
送信信号インパルスの形式で、ビームパターンに対するビームパターン制御データを構成および提供する、
請求項47に記載の送信器制御モジュール。
【請求項４９】
前記変換領域における前記チャネル成分係数の不確定度を成す不確定性指標を生成し、その出力において提供するチャネル評価ユニットをさらに含む、
請求項47に記載の送信器制御モジュール。
【請求項５０】
少なくとも1つの受信器に送信するための送信アンテナのアレイと、
請求項47による送信器制御モジュールと、
を含む、送信器。
【請求項５１】
モバイル通信ネットワークにおける基地局を形成する、
請求項50に記載の送信器。
【請求項５２】
少なくとも1つの受信器に送信するための送信アンテナのアレイを有する送信器のための送信器制御方法であって、
次の1）〜3）いずれかを示す制御信号を受信するステップと、
1）1つまたは複数の好ましいチャネル成分、および前記1つまたは複数のチャネル成分の大きさ、
2）1つの好ましいチャネル成分、および信号対干渉雑音比SINRを示す量の推定値、または、
3）1つの好ましいチャネル成分、
前記制御信号に含まれる情報を使用して、前記変換領域にビームパターンを構成するステップと、
を含む送信器制御方法。
【請求項５３】
少なくとも1つの受信器に送信するための送信アンテナのアレイを有する送信器が、送信器制御方法を実行する実行可能プログラムコードを含むコンピュータープログラム製品であって、
前記送信器制御方法が、
次の1）〜3）いずれかを示す制御信号を受信するステップと、
1）1つまたは複数の好ましいチャネル成分、および前記1つまたは複数のチャネル成分の大きさ、
2）1つの好ましいチャネル成分、および信号対干渉雑音比SINRを示す量の推定値、または、
3）1つの好ましいチャネル成分、
前記制御信号に含まれる情報を使用して、前記変換領域にビームパターンを構成するステップと、
を含むコンピュータープログラム製品。
【請求項５４】
請求項50による送信器および請求項44による受信器、
を含む通信ネットワーク。
【請求項５５】
前記通信ネットワークが移動体ネットワークである、
請求項54に記載の通信ネットワーク。